(57)【要約】【課題】定電圧ユニットによる電圧供給開始後に過電流が発生して照明負荷にストレスが生じることを防止した過電流防止式電源装置を提供する。【解決手段】照明負荷４への過電流を防止する過電流防止式電源装置１において、一定電圧を供給する定電圧ユニット２と、定電圧ユニット２からの電圧を受けて動作し、照明器具を駆動する定電流ユニット３と、定電圧ユニット２による電圧供給開始後に定電流ユニット３に供給される電流値を検出する電流検知部６と、定電流ユニット３の出力電流を制御する調光部２ａとを備え、調光部２ａは、電流検知部６における電流値の検知結果を受けて、定電流ユニット３からの出力電流を制御する。これにより、照明器具５の立ち上げ時に、照明負荷４に過電流が流れることを抑制し、照明負荷４にストレスが生じることを防止できる。【選択図】図１
2011249124.tif 000002
【特許請求の範囲】
【請求項１】
照明負荷への過電流を防止する過電流防止式電源装置において、
一定電圧を供給する定電圧ユニットと、
前記定電圧ユニットからの電圧を受けて動作し、照明負荷を駆動する定電流ユニットと、
前記定電圧ユニットによる電圧供給開始後に前記定電流ユニットに供給される電流値を検出する電流検知部と、
前記定電流ユニットの出力電流を制御する調光部とを備え、
前記調光部は、前記電流検知部における電流値の検知結果を受けて、前記定電流ユニットからの出力電流を制御することを特徴とする過電流防止式電源装置。
【請求項２】
前記定電流ユニットは、発光ダイオード又は有機ＥＬである照明負荷に接続され、
前記照明負荷の電流立ち上がり時の電圧は、前記定電流ユニットの電流出力開始時の入力電圧より高いことを特徴とする請求項１記載の過電流防止式電源装置。
【請求項３】
前記調光部は、前記電流検知部において検知される電流値が一定値になった以降は、前記定電流ユニットからの出力電流の制御を解除することを特徴とする請求項１又は請求項２記載の過電流防止式電源装置。
【請求項４】
請求項１乃至請求項３のいずれか一項に記載の過電流防止式電源装置と、照明負荷と、前記電源装置と照明負荷とを接続する接続部と、を備えたことを特徴とする照明器具。
【発明の詳細な説明】
【技術分野】
【０００１】
本発明は、有機ＥＬ（Electro Luminescence）や発光ダイオード（ＬＥＤ）を用いる照明負荷に過電流が流れることを防止した過電流防止式電源装置とそれを用いた照明器具に関する。
【背景技術】
【０００２】
従来の、この種の電源装置を用いた照明器具の例を図８に示す。照明器具８０は、電源部Ａからの供給を受けて一定電圧を負荷Ｃに供給する電圧供給ユニットＢと、電圧供給ユニットＢからの電圧を受けるランプ等の負荷Ｃと、電圧供給ユニットＢの出力が一定となるように制御する制御回路部Ｄとを備える。このような照明器具８０における電圧供給ユニットＢは、電圧供給開始後に、初期電圧から規定の電圧まで電圧値が徐々に上昇していく。
【０００３】
ところが、この照明器具８０は、負荷Ｃに対して定電力制御を行うため、この電圧供給ユニットＢの出力が定常電圧になる前の早いタイミングでは、電圧供給ユニットＢから負荷Ｃに供給される出力電流が過電流（サージ電流）に達し、負荷Ｃに電圧トリップ異常等のストレスが生じるという問題がある。例えば、図９に示すような照明負荷の電圧電流特性において、曲線９０に示す動作の場合、照明負荷に電圧Ｖ１が付与された点灯時において負荷電流に過電流Ｉpeakが発生し照明負荷にストレスを与えている。
【０００４】
この問題に対処した、図１０に示すような照明器具１００が知られている（例えば、特許文献１参照）。この照明器具１００は、上記の照明器具８０と同様の構成に加えて、電圧供給ユニットＢの出力電圧が低いときに、定電力制御部に用いる乗算器１０２に出力電圧として実際の出力値よりも高い電圧値を別電源１０１より乗算器１０２に入力する構成を備えている。このような構成とすることで、照明器具１００は、電圧供給ユニットＢの出力電圧が低い場合における出力電流を小さくして過電流の発生を防止している。
【先行技術文献】
【特許文献】
【０００５】
【特許文献１】特開平１０−３３５０８６号公報
【発明の概要】
【発明が解決しようとする課題】
【０００６】
しかしながら、上記の図１０に示したような照明器具１００の回路構成においては、（１）フィードバック制御であるために誤差やノイズにより検出値が発散する可能性があり、（２）定電力制御を行うため電圧値と電流値を乗算する乗算器１０２の回路構成が必要となるという問題がある。
【０００７】
さらにまた、一般的には、定電圧ユニットの出力電圧が十分に立ち上がってから、定電流ユニットの電流を出力する方式があるが、この方式の場合には、電源投入から照明負荷への電力供給が遅くなり点灯まで、より長い期間を要するという問題がある。
【０００８】
本発明は、上記課題に鑑みてなされたものであり、定電圧ユニットからの電圧を受けて駆動される定電流ユニットからの電流供給により照明負荷を点灯する過電流防止式電源装置において、定電圧ユニットによる電圧供給開始後の電流値の上昇により照明負荷に過電流が流れてストレスが生じることを防止した過電流防止式電源装置及び照明器具を提供することを目的とする。
【課題を解決するための手段】
【０００９】
上記目的を達成するために本発明の過電流防止式電源装置は、照明負荷への過電流を防止する過電流防止式電源装置において、一定電圧を供給する定電圧ユニットと、前記定電圧ユニットからの電圧を受けて動作し、照明負荷を駆動する定電流ユニットと、前記定電圧ユニットによる電圧供給開始後に前記定電流ユニットに供給される電流値を検出する電流検知部と、前記定電流ユニットの出力電流を制御する調光部とを備え、前記調光部は、前記電流検知部における電流値の検知結果を受けて、前記定電流ユニットからの出力電流を制御することを特徴とする。
【００１０】
この過電流防止式電源装置において、前記定電流ユニットは、発光ダイオード又は有機ＥＬである照明負荷に接続され、前記照明負荷の電流立ち上がり時の電圧は、前記定電流ユニットの電流出力開始時の入力電圧より高いことが好ましい。
【００１１】
この過電流防止式電源装置において、前記調光部は、前記電流検知部において検知される電流値が一定値になった以降は、前記定電流ユニットからの出力電流の制御を解除することが好ましい。
【００１２】
本発明の照明器具は、上記のような過電流防止式電源装置と、照明負荷と、電源装置と照明負荷とを接続する接続部と、を備えたことを特徴とする。
【発明の効果】
【００１３】
本発明の過電流防止式電源装置によれば、定電圧ユニットによる電圧供給開始後に、定電流ユニットに流れる電流値を検知し、この電流値に基づいて調光部は、定電流ユニットから照明負荷へ流れる電流を制御するので、起動時に定電流ユニットから照明負荷へ過電流の供給が抑制され、照明負荷にストレスが発生することを軽減できる。
【図面の簡単な説明】
【００１４】
【図１】本発明の実施形態に係る過電流防止式電源装置を用いた照明器具の構成図。
【図２】同実施形態の装置における定電圧ユニットの回路図。
【図３】同実施形態の装置における定電流ユニットの回路図。
【図４】同実施形態に係る電源装置の動作を説明するための照明負荷の電圧電流特性図。
【図５】（ａ）同定電圧ユニットの出力電圧波形を示す図、（ｂ）同定電流ユニットの出力電流波形を示す図。
【図６】同実施形態に係る電源装置を用いた照明器具の構成図。
【図７】（ａ）同照明器具の斜視図、（ｂ）同照明器具の下側からの斜視図。
【図８】従来の電源装置の回路図。
【図９】従来の電源装置の動作を説明するための照明負荷の電圧電流特性図。
【図１０】従来の電源装置の別の回路図。
【発明を実施するための形態】
【００１５】
本発明の実施形態に係る過電流防止式電源装置について図１乃至図５を参照して説明する。
【００１６】
図１に示すように、本実施形態の過電流防止式電源装置１（以下、電源装置という）は、交流電源（ＡＣ）から給電されて一定電圧を出力する定電圧ユニット２と、定電圧ユニット２からの電圧を受けて照明負荷４を点灯駆動する定電流ユニット３とを備える。ここでは、電源装置１と照明負荷４とは、照明器具を構成する。定電流ユニット３と照明負荷４とを一体としたものを灯具５とし、定電圧ユニット２と灯具５とを分離して配線する照明器具の形態も可能である。
【００１７】
電流検知部６は、定電圧ユニット２による電圧供給開始後に、定電圧ユニット２より定電流ユニット３に供給される入力電流を検出して調光部２ａにフィードバックする。調光部２ａは、電流検知部６の動作開始時の電流値の検知結果を受けて、調光信号を定電流ユニット３に送信する。調光信号は電流検知部６による検出結果を受けて変化し、例えば調光部２ａは、電流検知部６で検知される電流値が一定となった以降には、定電流ユニット３の調光制御を解除する。なお、調光部２ａからの調光信号は、定電圧ユニット２の電源線を介して定電流ユニット３側に送信することで省配線化できる。
【００１８】
照明負荷４は、有機ＥＬ発光素子やＬＥＤ等の発光ダイオードであり、コネクタを介して接続された定電流ユニット３からの電流を受けて発光する発光素子から構成される。この照明負荷４は、有機ＥＬ発光素子を用いているが、ＬＥＤ発光素子などの他の固体発光素子を含め、直流で点灯する光源であればよい。
【００１９】
以下、定電圧ユニット２の回路構成に関して説明する。
図２に示すように、定電圧ユニット２は、ＡＣ／ＤＣコンバータであり、入力部（接続部）２０と、ローパスフィルタ（ＬＰＦ）２１と、整流回路部２２と、制御電源回路２３と、昇圧チョッパ部２４と、出力部（接続部）２５とを有する。
【００２０】
入力部２０は交流電源（ＡＣ）に接続され、ＬＰＦ２１は、入力部２０からの交流電圧を正弦波状にするため、その高周波成分を除去する。整流回路部２２は、ダイオードブリッジ（ＤＢ）を用いてＬＰＦ２１からの交流電圧を全波整流する。制御電源回路２３は、整流回路部２２の出力両端子に抵抗Ｒ４、Ｒ５の直列回路を接続し、抵抗Ｒ５に並行にツエナーダイオードＺＤ１を接続し、制御回路に供給する定電圧源Ｖｃｃを生成するための回路であり、昇圧チョッパ部２４等に電源供給する。
【００２１】
昇圧チョッパ部２４は、チョーク用のコイルＬ１と、ｎチャンネル型のＭＯＳＦＥＴからなるスイッチング素子Ｑ１と、ダイオードＤ１と、スイッチング素子Ｑ１を駆動する駆動回路２６と、駆動回路２６を制御する定電圧制御部２７とを有する。スイッチング素子Ｑ１と抵抗Ｒ１の直列回路に並列に、ダイオードＤ１と電界コンデンサＣ１の直列回路が接続される。また、コンデンサＣ１の両端は、抵抗Ｒ２とＲ３との直列回路が並列に接続されると共に、出力用コネクタを有する出力部２５に接続される。コイルＬ１に結合される二次側コイルＬ２は、その一端が定電圧制御部２７に接続され、他端が接地され、定電圧制御部２７に制御電源電圧供給を行う。スイッチング素子Ｑ１は、定電圧制御部２７からの制御信号を基に生成される駆動回路２６からの出力信号により駆動される。
【００２２】
抵抗Ｒ２、Ｒ３は、出力電圧Ｖを検出するための検出抵抗であり、コンデンサＣ１の両端を分圧し、抵抗Ｒ３の電圧を検出電圧とする。それら抵抗Ｒ２とＲ３との接続点は、出力電圧Ｖをフィードバック制御するために定電圧制御部２７に接続されている。
【００２３】
定電圧制御部２７は、抵抗Ｒ３からの検出電圧がフィードバック制御信号として入力され、この検出電圧を基にコンデンサＣ１の出力電圧Ｖを所望の電圧値Ｖｏにするための電圧制御信号を発生して、駆動回路２６及びスイッチング素子Ｑ１を制御する。この電圧制御信号は、ＰＷＭ制御信号により形成され、駆動回路２６を制御し、駆動回路２６はＰＷＭ信号でスイッチング素子Ｑ１をパルス駆動する。スイッチング素子Ｑ１の出力はコンデンサＣ１に充電され、一定電圧Ｖｏとなる直流の出力電圧Ｖが得られる。なお、ＰＷＭのスイッチンング周波数は、数１０ＫＨｚから数ＭＨｚである。
【００２４】
また、定電圧制御部２７は抵抗Ｒ１に発生する電圧を利用して、スイッチング素子Ｑ１に流れる電流が予め定めるピーク値に達した場合に、強制的にオフさせるようにできる。また、コイルＬ２による巻線電圧を利用して電流がゼロになるタイミングを検出して、強制的にスイッチング素子Ｑ１をオンすることができる。
【００２５】
この定電圧ユニット２は、出力電圧Ｖを定電圧制御部２７へフィードバックすることにより、抵抗Ｒ３に発生する電圧が所望の値になるようにスイッチング素子Ｑ１のオン、オフを繰り返すことにより、入力電流の歪を改善しつつ、出力電圧Ｖを一定電圧Ｖｏにすることができる。
【００２６】
次に、定電流ユニット３の回路構成に関して説明する。
図３に示すように、定電流ユニット３は、入力部（接続部）３０と、制御電源回路３１と、電圧検出部３２と、設定部３３と、ＤＣ−ＤＣ変換部３４と、定電流制御部３５と、電流検出部３６と、出力部（接続部）３７とを有する。
【００２７】
入力部３０は、定電圧ユニット２の出力部２５からの出力電圧Ｖが定電流ユニット３への入力電圧Ｖとなって供給される。制御電源回路３１は、定電圧ユニット２の制御電源回路２３と同様の構成を成し、設定部３３、ＤＣ−ＤＣ変換部３４、定電流制御部３５、及び電流検出部３６など、定電流ユニット３内の各回路に定電圧源Ｖｃｃを供給する。
【００２８】
電圧検出部３２は、入力部３０の両端子に並列に接続される抵抗Ｒａ、Ｒｂの直列回路から成り、その接続点で検出され入力電圧Ｖに比例する電圧を設定部３３に入力する。電圧検出部３２は、定電圧ユニット２による電圧供給開始後に、定電圧ユニット２より供給される入力電圧Ｖを検出する。電圧検出部３２により、定電圧ユニット２の出力電圧を定電流ユニット３内で検出できるので、電圧検出用に特別な配線が要らない。
【００２９】
設定部３３は、電圧比較するコンパレータＣＯＭＰ１と、ＣＯＭＰ１の出力が入力される論理インバータ回路ＮＯＴ１と、ＮＯＴ１の出力が入力される論理積回路ＡＮＤ１とを有する。設定部３３は、電圧検出部３２からの検出電圧と、定電流制御部３５からの電流制御信号とが入力され、定電流ユニット３が動作を開始する動作開始電圧が設定されると共に、電圧検出部３２による検出結果を受けて定電流ユニット３の動作開始電圧を変化させる。設定部３３の出力は、入力電圧Ｖと動作開始電圧との比較を基に切り換えられ、ＤＣ−ＤＣ変換部３４の制御信号として供給される。
【００３０】
具体的には、ＣＯＭＰ１は、マイナス側入力端子に電圧検出部３２の抵抗ＲａとＲｂの接続点からの検出電圧Ｖｂが入力され、プラス側入力端子と接地との間に基準電圧Ｖｒｅｆを成す電池Ｅと抵抗Ｒｄとの直列回路が接続される。また、ＣＯＭＰ１の出力端子は、抵抗Ｒｃを介して電池Ｅと抵抗Ｒｄとの接続点に接続されている。ＡＮＤ１は、ＣＯＭＰ１の出力がＮＯＴ１で反転された信号と、定電流制御部３５からの電流制御信号とが入力され、その出力はＤＣ−ＤＣ変換部３４の駆動回路３８に接続される。
【００３１】
設定部３３は、ＣＯＭＰ１と、電池Ｅと、抵抗Ｒｃと、抵抗Ｒｄとにより、以下に示すように、ヒステリシス回路を成す。例えば、最初に、ＣＯＭＰ１の出力として、ハイ（Ｈ）レベル（Ｖｃｃ）が発生しているとすると、ＣＯＭＰ１のプラス側入力端子に印加される比較電圧Ｖａは、式１のようになる。
Ｖａ＝Ｖｒｅｆ＋Ｒｄ・Ｖｃｃ／（Ｒｃ＋Ｒｄ）・・・・（式１）。
Ｖｒｅｆはヒステリシス形成のための基準電圧であり、電池Ｅで形成したが、これに限らない。
【００３２】
ここで、設定部３３の動作について説明する。先ず、マイナス側端子に入力される抵抗Ｒｂ端に発生する検出電圧Ｖｂが増加して、比較電圧Ｖａを越えると、ＣＯＭＰ１の出力はロー（Ｌ）レベル（ＧＮＤ）に切替わる。このとき、ＣＯＭＰ１の出力がＨレベルからＬレベルに切替わるので、ＣＯＭＰ１の比較電圧Ｖａのうち、抵抗Ｒｄ端に発生していた電圧分がなくなり、Ｖａ＝Ｖｒｅｆとなる。従って、ＣＯＭＰ１のマイナスス側の検出電圧Ｖｂ、すなわち、抵抗Ｒｂ端の電圧が減少してきた場合には、この検出電圧ＶｂがＶｒｅｆより小さくならないと、再びＣＯＭＰ１の出力はＨレベルには切替わらない。
【００３３】
このことから、定電圧ユニット２からの電圧Ｖが減少するときの動作開始電圧、すなわち、定電流ユニット３の動作停止電圧は、定電圧ユニット２からの入力電圧Ｖが増加するときの定電流ユニット３の動作開始電圧より低くなる。従って、定電流ユニット３の動作開始電圧と動作停止電圧とが異なり、定電圧ユニット２の動作はヒステリシス特性を持つことになる。
【００３４】
ＤＣ−ＤＣ変換部３４は、駆動回路３８と、この駆動回路３８で駆動されるスイッチング素子Ｑ２と、回生用のダイオードＤ２と、チョークコイルＬ３と、コンデンサＣ２とを有する。ダイオードＤ２はスイッチング素子Ｑ２出力側と接地間に逆方向接続され、その両端に並列にチョークコイルＬ３とコンデンサＣ２の直列回路が接続される。コンデンサＣ２は、照明負荷４と電流検知用の抵抗Ｒ６との直列回路と並列に接続され、照明負荷４と抵抗Ｒ６の接続点は電流検出部３６に接続され、抵抗Ｒ６の他端は接地されている。
【００３５】
このＤＣ−ＤＣ変換部３４は、降圧チョッパ回路を成し、駆動回路３８によりスイッチング素子Ｑ２を高周波でスイッチングすることにより、入力部３０からの入力電圧Ｖを照明負荷４に必要な電圧に変換し出力部３７から出力し、照明負荷４を点灯する。なお、定電流ユニット３において、動作開始時の電圧を設定する設定部３３の構成は必須ではなく、直流電圧変換器となる他の回路構成とすることが可能である。
【００３６】
次に、本実施形態に係る電源装置１の照明負荷４における電圧電流負荷に関して説明する。図４に示す曲線４１は、定電流ユニット３の定電力制御の特性曲線（dim側は照明が暗くfull側が明るい側の曲線）を示している。
【００３７】
一般的に、照明負荷４は、負荷電圧Ｖが印加され照明負荷４の立ち上り電圧Ｖｆを越えると、その負荷電流Ｉが流れ出し、負荷電圧Ｖの増加と共に負荷電流Ｉが上昇する電圧電流特性を示す。なお、立ち上り電圧Ｖｆ値はデバイスによりほぼその値が定まっている。
【００３８】
本実施形態では、照明負荷４の立ち上がり時のサージ電流の発生を抑制するため、調光部２ａは、電流検知部６において検出される電流値に基づいて定電流ユニット３から照明負荷４への出力電流を制御する。
【００３９】
すなわち、照明器具１の立ち上げ時において定電圧ユニット２から定電流ユニット３へ入力電圧が与えられると、調光部２ａは、電流検知部６からの電流値の検知結果を受けて、当該電流値に基づいて、定電流ユニット３から照明負荷４への電流出力を制御する。例えば、調光部２ａは、当該電流値に基づいて図４の黒点Ｐ１に示すように、起動電圧Ｖｔｈ（立ち上がり電圧Ｖｆ＋３Ｖ等）に達する時点で、定電流ユニット３から照明負荷４に電流Ｉ１（Ａ）を最初に印加するよう制御する。
【００４０】
そして、調光部２ａは、図４の矢印Ｙ１に示すように、電圧値がＶｔｈからＶ１に達する間においては、定電流ユニット３から照明負荷４への出力電流をＩ１（Ａ）の状態に保つ。また、調光部２ａは、電圧値がＶ１から定格出力電圧Ｖｎに達する間においては、定電力曲線４１の特性に沿って矢印Ｙ２に示すように、照明負荷４への出力電流をＩ１（Ａ）から黒点Ｐ２に示すＩ０（Ａ）に徐々に軽減する。定格出力電圧Ｖｎに達した後は、調光部２ａは、定電流ユニット３から照明負荷４への出力電流の制御を終了する。
【００４１】
なお、定電流ユニット３が過電流の供給を受ける場合は、電源投入後の定電圧ユニット２の立ち上がり時が多い。即ち、定電圧ユニット２からの出力電圧が漸増する過程において、定電流ユニット３が照明負荷４への電流出力供給開始ができた後、照明負荷４の電流立ち上がり電圧に達した時に、最大の電流が必要となり、定電圧ユニット２のストレスが最も大きくなる。本実施形態の電源装置１では、照明負荷４の電流立ち上がり電圧は、定電流ユニット３の電流出力開始時の入力電圧Ｖｔｈより高く、定電圧ユニット２に発生するストレスを緩和できるようになっている。
【００４２】
そして、図５（ａ）に示すように、定電圧ユニット２のコンデンサＣ１端の出力電圧Ｖは、出力開始電圧Ｖｆから、徐々に上昇しながら定格出力電圧Ｖｎになる。また、出力電圧Ｖは時間ｔ１で定電流ユニット３の起動電圧Ｖｔｈに至る。また、図５（ｂ）に示すように、コイルＬ３に流れる電流Iは、起動電圧Ｖｔｈの時間ｔ１で立ち上がり電流Ｉ１に達し、調光部２ａにより定電流ユニット３からの過電流値Ｉpeakの発生が抑制されて、時間ｔ３以降で定格出力電流Ｉｏに保たれる。
【００４３】
このように、調光部２ａは起動時において照明負荷４を調光制御し、起動電圧Ｖｔｈに達した時点（ｔ１）から定電流ユニット３は照明負荷４に対して電流出力する。このため、電源装置１は、定格出力電圧Ｖｎに達した時点（ｔ３）以降に照明負荷４に電流を出力する調光制御と比較しても、より素早く照明負荷４に電流立ち上がり電圧を付与して、照明負荷４を素早く点灯できる。
【００４４】
以上の説明のように、本実施形態に係る電源装置１によれば、電圧印加開始後において、電流検知部６は、定電圧ユニット２から定電流ユニット３への出力電流値を検出して調光部２ａにフィードバックする。そして、調光部２ａは、検知された電流値に基づいて、所定の電流値を超える時は定電流ユニット３から照明負荷４への出力電流を制御するため、照明負荷４に過電流が発生してストレスを与えることを防止できる。
【００４５】
また、電源装置１は調光部２ａを用いて制御するため、定電圧ユニット２からの出力電圧Ｖが定格電圧Ｖｎに達する前に、定電流ユニット３を立ち上げるようにできるので、起動時の過電流を抑えつつ、電源装置１全体の立ち上がりを早め、照明負荷４を素早く点灯できる。
【００４６】
さらに、定電流ユニット３から照明負荷４への出力電流は、調光部２ａからの調光信号の電流範囲に限定されるため、フィードバック発散などに起因して照明負荷４に過電流が生じることを防止できる。またさらに、電流検知部６及び調光部２ａを用いるフィードバック制御を行うため、電源装置１は電圧値と電流値とを乗算する複雑な乗算器の回路構成が不要となる。
【００４７】
以下、本実施形態に係る電源装置１を用いる照明器具について説明する。
図６に示す照明器具は、上記定電圧ユニット２（過電流防止式電源装置）と、定電圧ユニット２により給電される複数の灯具（照明負荷）５（５a、５ｂ）と、定電圧ユニット２と灯具５を接続する接続部５１と、を備える。灯具５は、接続部５１と共に、発光素子（照明負荷）４ａと、定電流ユニット３と、調光信号受信部９とを有し、コネクタ等よりなる接続部５１を介して定電圧ユニット２の出力部と配線接続されている。定電圧ユニット２は、その出力部からの出力電圧Ｖと調光信号Ｓとが接地ラインを共通として灯具５に接続され、それぞれ灯具５内の定電流ユニット３と調光信号受信部９とに供給される。
【００４８】
発光素子４ａは、入力電流と光出力がほぼ比例の関係にある有機ＥＬやＬＥＤなどの一つまたは複数の固体発光素子から成る。調光信号受信部９は、定電圧ユニット２の調光信号送信部７からの調光信号Ｓを受けて元の調光指令値を復元し、それを定電流ユニット３に伝える。定電流ユニット３は、調光機能を有し、調光信号受信部９からの指令値を受けて発光素子４ａのＰＷＭ調光や振幅調光を行う。なお、調光信号受信部９は、定電流ユニット３内に設けてもよい。
【００４９】
この照明器具は、複数の灯具５が定電圧ユニット２に接続されるような場合においても、動作開始時に配線に流れる定電圧ユニット２からのピーク電流を抑制することができる。これにより、過電流による灯具５の回路素子等へのストレスを低減することができると共に、点灯動作後は、電源変動に強い、安定した照明が得られる。また、定電圧ユニット２と各接続部５１間の配線により、灯具５と定電圧ユニット２間を任意の長さに調整できる。また、ＬＥＤや有機ＥＬ素子の発光素子４ａを用いたので、面状薄型の照明器具が得られる。
【００５０】
図７（ａ）は、照明器具を複数のモジュールで構成した場合の例を示す。この照明器具は、定電圧ユニット２及び定電流ユニット３をモジュール化した電源ユニット１aと、複数の発光素子４ａを一体にしてモジュール化した負荷モジュール４ｂとにより構成される。これらのモジュール化により、照明器具をコンパクトに形成でき、また、交換修理が容易になる。また、図７（ｂ）は電源装置１を備える照明器具の外観図であり、電源装置１からの給電を受けて発光面である有機ＥＬパネル側から発光する。
【００５１】
なお、本発明は、上記実施形態の構成に限られず、発明の趣旨を変更しない範囲で種々の変形が可能である。例えば、上記各実施形態において、スイッチング素子はＦＥＴに限らず、バイポーラトランジスタ等、他の半導体素子を用いてもよい。また、１つの電源装置１に照明負荷４を複数接続するときは、それらの照明負荷４の直列、並列、あるいはそれらの組合せであってもよい。また、電源装置１の電源は交流電源のみでなくバッテリーでも良く、さらに、電流検出に抵抗を用いたが、トランスなどを用いてもよい。
【符号の説明】
【００５２】
１  電源装置（過電流防止式電源装置、照明器具）
２  定電圧ユニット
２ａ  調光部
３  定電流ユニット
３２  電圧検出部
３３  設定部
４  照明負荷
４ａ  発光素子（照明負荷、照明器具）
５、５a、５ｂ  灯具（照明器具）
６  電流検知部
５１  接続部（照明器具）
Ｖｔｈ  起動電圧
【図１】
2011249124.tif 000003
【図２】
2011249124.tif 000004
【図３】
2011249124.tif 000005
【図４】
2011249124.tif 000006
【図５】
2011249124.tif 000007
【図６】
2011249124.tif 000008
【図７】
2011249124.tif 000009
【図８】
2011249124.tif 000010
【図９】
2011249124.tif 000011
【図１０】
2011249124.tif 000012